(57)【要約】【課題】車両用ハンドルに円環状皮革を被覆する際、作業者の負担を軽くするとともに、円環状皮革をハンドルのホイール部に均一に被覆させることで革巻車両用ハンドルの品質を向上させる。【解決手段】革巻車両用ハンドル皮革周着装置１０において、テーブル１０３上に固定されたハンドルホイール部１４の一部を円環状皮革１２の一部と共に吸着固定装置４０に固定して位置決めを行った状態で、円環状皮革１２の固定されていない部位を拡張移動冶具５０に掛着させて、ハンドルホイール部１４の外周部分まで移動させ、円環状皮革１２を均一に拡張させる。そして皮革ガイド冶具６０によって、円環状皮革１２をホイール部１４の外周部分に沿って移動させた後、拡張移動冶具５０を上方に引き上げて、円環状皮革１２をハンドルホイール部１４の外周部分に周着させる。【選択図】図１０
2010241255.tif 000002
【特許請求の範囲】
【請求項１】
円環形状のホイール部を円環状皮革で被覆する革巻車両用ハンドル皮革周着装置であって、
装置基台に、前記円環形状のホイール部を有するハンドルを該装置基台に固定支持する第１ハンドルセット冶具と、該第１ハンドルセット冶具により固定支持されたハンドルのホイール部外周の一部の外周範囲に前記円環状皮革の一部を固定する固定装置と、該固定装置によりホイール部外周の一部に固定された前記円環状皮革の該固定されていない対向した部位を掛着して前記固定支持されたハンドルのホイール部へ周着すべき対応位置まで（離間方向に）少なくとも移動させることができ、前記円環状皮革を掛着する部位の外形形状が前記ホイール部の半円形形状とされている拡張移動冶具と、該拡張移動冶具により前記円環状皮革が周着すべきホイール部の対応位置とされた状態で、該拡張移動冶具の半円形の外形形状部と該外形形状部に掛着した円環状皮革との間に挿入されて該外形形状部に沿って移動させることにより該円環状皮革を前記ホイール部の外周部分に沿って周着させる皮革ガイド冶具と、を備え、
前記装置基台に第１ハンドルセット冶具により固定支持したハンドルのホイール部に、周着すべき円環状皮革の一部を固定装置により固定し、他の部分を拡張移動冶具に掛着して周着させるホイール部に対応させた位置状態として、皮革ガイド冶具により該円環状皮革をホイール部の外周部分に沿って周着させることを特徴とする革巻車両用ハンドル皮革周着装置。
【請求項２】
請求項１に記載の革巻車両用ハンドル皮革周着装置であって、
前記固定装置は、前記円環状皮革の一部を吸着して固定する吸着固定装置であることを特徴とする革巻車両用ハンドル皮革周着装置。
【発明の詳細な説明】
【技術分野】
【０００１】
本発明は、革巻車両用ハンドル皮革周着装置に関する。詳しくは、円環形状のホイール部を円環状皮革で被覆する革巻車両用ハンドル皮革周着装置に関する。
【背景技術】
【０００２】
近年、車両用ハンドルは良好なグリップ感によるハンドル操作性の向上や、高級な外観が得られることによる意匠性の向上等の観点から、車両用ハンドルの円環状ホイール部とそれに連結したスポーク部を牛革等の皮革で被覆する外装が行われている。
従来、車両用ハンドルに皮革を被覆する方法としては、先ず、基台上にハンドルを固定させて、ハンドルの円環状ホイール部の外周部分の径よりも小さく形成された円環状の皮革をホイール部の一部分に掛着させたのち、作業者が人力にて円環状皮革をホイール部の外周部分まで引っ張って拡張させることで円環状皮革をハンドルに被覆させていた。
【０００３】
また、装置によって円環状皮革を拡径する方法としては、例えば下記に示す特許文献１にその方法が開示されている。この皮革拡径装置は、基台の中心部で上下方向へ移動可能に配設された円錐台形状の上下動部材と、この上下動部材を中心部に配置して基台の上方に配設されたドーナツ盤状の半径方向案内部材と、この半径方向案内部材に、円周方向に分割されて配設された複数個の拡張駒とからなり、各拡張駒は、上下動部材の外側面に接触する内周面と円環状の皮革の内周面に当接する外周面とを有するとともに、各拡張駒または半径方向案内部材に、各拡張駒が半径方向へ移動するのを案内するガイド機構を設けた構成である。そして皮革拡径工程において、円環状皮革を各拡径駒の外周面に宛がい、上下動部材を上方向に移動させて各拡径駒の半径方向外側への移動とともに円環状皮革は引っ張られて拡径していき、そして、皮革被覆工程において、各拡径駒をその径が減少する方向に手作業によって移動させた後、円環状皮革を各拡径駒から取り外し、円環状皮革の上部に載置してあるステアリングホイールのリング部に円環状皮革を引っ張り上げて位置決めしながら被覆する。その後、皮革の側縁部を縫着又は接着してステアリングホイールに対する皮革の革巻作業が完了する。
【先行技術文献】
【特許文献】
【０００４】
【特許文献１】特開平３−２４６１６３
【発明の概要】
【発明が解決しようとする課題】
【０００５】
しかしながら、上記の装置によって円環状皮革をハンドルに被覆する方法では、皮革拡径工程において使用される複数の拡径駒を円環状皮革の拡径が終わるたびに手作業で元の位置まで戻さなければならず、非常に手間を要する作業となっていた。また、皮革拡径工程にて拡径された円環状皮革を各拡径駒から取り外した後、皮革被覆工程において円環状皮革を各拡径駒の上部に設けられたステアリングホイールまで引っ張り上げて位置決め行いながら被覆させなければならず、作業工程も煩雑であった。さらに、作業者の人力を用いて円環状皮革の拡張を行う場合においては、作業者は円環状皮革をハンドルのホイール部の一部分に掛着させた状態で円環状皮革を引っ張って拡張させていたため、非常に体力を費やす作業となっており、円環状皮革がホイール部から外れないよう配慮しながら作業を行わなければならず作業性がよくなかった。また、円環状皮革を均一に拡張させるには高度な技術が必要であり、作業者の熟練性を要するものでもあった。
【０００６】
本発明は、上述した従来の問題点を解決するものとして創案されたものであって、本発明が解決しようとする課題は、車両用ハンドルに円環状皮革を被覆する際に、煩雑な作業を必要とせずに作業者の負担を軽くするとともに、円環状皮革をハンドルのホイール部に均一に被覆させることで、革巻車両用ハンドルの品質の向上を図ることにある。
【課題を解決するための手段】
【０００７】
本発明は、上記課題を解決するために以下の手段をとる。
第１の発明は、円環形状のホイール部を円環状皮革で被覆する革巻車両用ハンドル皮革周着装置であって、装置基台に、前記円環形状のホイール部を有するハンドルを該装置基台に固定支持する第１ハンドルセット冶具と、該第１ハンドルセット冶具により固定支持されたハンドルのホイール部外周の一部の外周範囲に前記円環状皮革の一部を固定する固定装置と、該固定装置によりホイール部外周の一部に固定された前記円環状皮革の該固定されていない対向した部位を掛着して前記固定支持されたハンドルのホイール部へ周着すべき対応位置まで（離間方向に）少なくとも移動させることができ、前記円環状皮革を掛着する部位の外形形状が前記ホイール部の半円形形状とされている拡張移動冶具と、該拡張移動冶具により前記円環状皮革が周着すべきホイール部の対応位置とされた状態で、該拡張移動冶具の半円形の外形形状部と該外形形状部に掛着した円環状皮革との間に挿入されて該外形形状部に沿って移動させることにより該円環状皮革を前記ホイール部の外周部分に沿って周着させる皮革ガイド冶具と、を備え、前記装置基台に第１ハンドルセット冶具により固定支持したハンドルのホイール部に、周着すべき円環状皮革の一部を固定装置により固定し、他の部分を拡張移動冶具に掛着して周着させるホイール部に対応させた位置状態として、皮革ガイド冶具により該円環状皮革をホイール部の外周部分に沿って周着させることを特徴とする。
【０００８】
第１の発明によれば、円環状皮革の一部をハンドルのホイール部の一部に固定させて位置決めを行った状態で、円環状皮革を機械的動力によって均一に拡張させることができるため、煩雑な作業を必要とせずに円環状皮革をハンドルのホイール部の外周部分に均一に被覆することができる。
【０００９】
第２の発明は、上記第１の発明の革巻車両用ハンドル皮革周着装置であって、前記固定装置は、前記円環状皮革の一部を吸着して固定する吸着固定装置であることを特徴とする。
【００１０】
第２の発明によれば、円環状皮革は吸着作用によって吸着固定装置に固定されるため、円環状皮革をハンドルのホイール部に対して位置ずれすることなく固定させることができる。
【発明の効果】
【００１１】
本発明によれば、上記した手段により次の効果を得る。
第１の発明によれば、円環状円環状皮革の一部をハンドルのホイール部の一部に固定させて位置決めを行った状態で、円環状皮革を機械的動力によって均一に拡張させることができるため、煩雑な作業を必要とせずに円環状皮革をハンドルのホイール部の外周部分に均一に被覆することができる。
第２の発明によれば、円環状皮革は吸着作用によって吸着固定装置に固定されるため、円環状皮革をハンドルのホイール部に対して位置ずれすることなく固定させることができる。
【図面の簡単な説明】
【００１２】
【図１】革巻車両用ハンドルの全体構造を示す斜視図である。
【図２】図１に示す革巻車両用ハンドルに被覆される円環状皮革を示す斜視図である。
【図３】本発明の一実施例の形態に係る革巻車両用ハンドル皮革周着装置の斜視図である。
【図４】本発明の一実施例の形態に係る革巻車両用ハンドル皮革周着装置の背面図である。
【図５】図３に示す革巻車両用ハンドル皮革周着装置における吸着固定装置の拡大斜視図である。
【図６】図３に示す革巻車両用ハンドル皮革周着装置にハンドルを固定した状態を示す斜視図である。
【図７】図３に示す革巻車両用ハンドル皮革周着装置に円環状皮革を吸着固定した状態を示す斜視図である。
【図８】図３に示す革巻車両用ハンドル皮革周着装置において拡張移動冶具に円環状皮革を掛着させた状態を示す斜視図である。
【図９】図３に示す革巻車両用ハンドル皮革周着装置において拡張移動冶具をハンドルのホイール部まで移動させた状態を示す斜視図である。
【図１０】図３に示す革巻車両用ハンドル皮革周着装置において皮革ガイド冶具を拡張移動冶具と円環状皮革の間に挿入させた状態を示す斜視図である。
【図１１】図３に示す革巻車両用ハンドル皮革周着装置において円環状皮革をハンドルのホイール部の外周に沿って周着させた状態を示す斜視図である。
【図１２】図３に示す革巻車両用ハンドル皮革周着装置に円環状皮革を周着させたハンドルを上下逆方向に反転させて固定した状態を示す斜視図である。
【発明を実施するための形態】
【００１３】
以下、図面を参照しながら発明を実施するための形態を説明する。
図１は革巻車両用ハンドルの全体構造を示す図である。ハンドル１１は複数のスポーク部１６と、これらのスポーク部１６に支持された円環状のホイール部１４から構成されており、ハンドル１１の中心部には、後述する第１ハンドルセット冶具２０（図３参照）の第１ハンドル支持用突部２２及び第２ハンドルセット冶具２８（図３参照）の第２ハンドル支持用突部３０と嵌合する中心孔１８を備えている。また、ハンドル１１の内周部分中央部には、ハンドル１１に被覆される円環状皮革１２の位置合わせを行うための位置合わせ線１９が設けられている。
【００１４】
図２は革巻車両用ハンドルに被覆される円環状皮革を示す図である。円環状皮革１２は、裁断されたシート状の皮革の接合部１７を縫製接合することによって立体的な円環形状となっており、円環状皮革１２の縁部１５ａ、１５ｂにはスポーク部１６を被覆するためのスポーク部用突部１３が複数設けられている。円環状皮革１２の内径はホイール部１４の外周部分よりも小さくなるように形成されており、円環状皮革１２をホイール部１４の外周部分に被覆した際に、円環状皮革１２が引っ張られて密着した状態でホイール部１４の外周部分に被覆される構成となっている。
【００１５】
図３は本発明の一実施の形態に係る革巻車両用ハンドル皮革周着装置の斜視図である。革巻車両用ハンドル皮革周着装置１０は、基台１０２のテーブル１０３上に第１ハンドルセット冶具２０を備えており、第１ハンドルセット冶具２０の上先端部には第１ハンドル支持用突部２２が設けられている。この第１ハンドル支持用突部２２にハンドル１１の中心孔１８を嵌合させてハンドル１１をテーブル１０３上に固定する。また、第１ハンドルセット冶具２０の前方にはスポーク支持部２４がアングル２６によってテーブル１０３上に固定されており、スポーク支持部２４はハンドルスポーク部１６の内側面に当接してハンドル１１を支持する構成となっている。
また、スポーク支持部２４を間に挟んで第１ハンドルセット冶具２０と対向する位置に第２ハンドルセット冶具２８が備えられており、第２ハンドルセット冶具２８の上先端部には第２ハンドル支持用突部３０が設けられている。また、第２ハンドルセット冶具２８は支持板３２上に備えられており、この支持板３２は、図４に示すように、シリンダー３４の３本のロッド３６と連結して、これらのロッド３６の上下方向の動作に伴って第２ハンドルセット冶具２８が上下方向に伸縮可能な構成となっている。
【００１６】
また、テーブル１０３上には、受台４２と、この受台４２に隣接する吸着ボックス４４とから構成される吸着固定装置４０を備えている。受台４２は吸着ボックス４４と平行に配設された当接部４２ａと、この当接部４２ａを支持する支持部４２ｂとから構成されている。また、当接部４２ａには図５に良く示されるように欠切部４３が設けられており、ホイール部１４の内周部分の一部が欠切部４３によって支持される。また、吸着ボックス４４の当接部４２ａに対向する面はホイール部１４の外周部分に対応するように湾曲した形状となっており、さらに多数の円形状の吸引孔４５を有している。この吸引孔４５による吸引作用によって円環状皮革１２を吸着ボックス４４に保持することができる。
したがって、吸着固定装置４０において、ハンドル１１が第１ハンドルセット冶具２０に固定されるとホイール部１４の一部が当接部４２ａと吸着ボックス４４の間に位置するように配設されて、ホイール部１４の内周部分に受台４２の当接部４２ａが当接する。そして円環状皮革１２が吸引孔４５を有する吸着ボックス４４に吸着された状態で、吸着ボックス４４が受台４２方向に移動することで、ホイール部１４の外周部分に円環状皮革１２の内側が圧接してハンドル１１と円環状皮革１２が共に吸着固定装置４０に固定される。
【００１７】
吸着ボックス４４に設けられた吸引孔４５は円環状皮革１２が当接する面に均等に設けられている。吸引孔４５の直径は、円環状皮革１２を吸着保持することができるように、１ｍｍ〜１０ｍｍの範囲、より好ましくは３ｍｍ〜７ｍｍの範囲で形成されている。また、吸引孔４５同士の間隔は、１ｍｍ〜１０ｍｍの範囲で等間隔に形成されていることが好ましい。
【００１８】
吸着ボックス４４が支持される支柱５９の上部には拡張移動冶具５０が備えられている。この拡張移動冶具５０は半円形形状の外形を有しており、ホイール部１４の外周部分に対応した形状となっている。また、拡張移動冶具５０は支柱５９に備えられたシャフト５８とドライブッシュ５７ａ、５７ｂを介して連結されており、シャフト５８を軸心回りに回動可能な状態に取り付けられている。また、拡張移動冶具５０の半円形形状となっていない連結部５１ａ、５１ｂには、皮革拡張シリンダー５２ａ、５２ｂがピストンロッド５４ａ、５４ｂとともに平行に結合されている。そして拡張移動冶具５０が回動してテーブル１０３と水平に位置するときに、皮革拡張シリンダー５２ａ、５２ｂのピストンロッド５４ａ、５４ｂが動作することで、拡張移動冶具５０がテーブル１０３と水平方向に伸縮自在に可動する。また、拡張移動冶具５０が取り付けられたピストンロッド５４ａ、５４ｂの他端部にはストッパ５６ａ、５６ｂが設けられており、拡張移動冶具５０はストッパ５６ａ、５６ｂによってピストンロッド５４ａ、５４ｂの伸長動作が衝止される構成となっている。
【００１９】
また、図４に示されるように、拡張移動冶具５０の背面の半円形形状中心部には回転軸６５が設けられており、この回転軸６５は第１軸受６８と第２軸受７０によって支持されて、止め具７２によって固定されている。これらの第１軸受６８と第２軸受７０との間にはガイド台６２がブラケット６４を介して支持されており、このガイド台６２は回転軸６５の軸心周りに回動可能な状態に取り付けられている。そしてガイド台６２のブラケット６４が連結していない他端部にはホルダ６３が設けられており、このホルダ６３にはヒンジピン６７によってプレート６６が回動可能に支持されている。また、プレート６６には支持部６１が取り付けられており、この支持部６１に皮革ガイド冶具６０が支持される構成となっている。そして、プレート６６が回動することによって、皮革ガイド冶具６０は拡張移動冶具５０に対して水平方向または垂直方向へと回動可能となっている。
したがって、皮革ガイド冶具６０は、拡張移動冶具５０をテーブル１０３に対して水平方向に位置させた状態で、拡張移動冶具５０に対して垂直方向に支持されて、拡張移動冶具５０の半円形形状部分に沿って移動させることができる。
【００２０】
基台１０２に備えられたボタン台１０４には起動スイッチ１０６及び非常停止スイッチ１０７が設けられており、また、基台１０２の下部にはフットスイッチ１１０が備えられている。これらは基台１０２の下方に備えられた制御盤１０８、及びエアコンビネーション１１６とソレノイドバルブ１１４からなるコンプレッサー１１２と共に連動して革巻車両用ハンドル皮革周着装置１０の動作を制御している。
【００２１】
次に、ハンドル１１のホイール部１４に円環状皮革１２を被覆する方法について説明する。まず、図６に示すように、ハンドル１１の中心孔１８に第１ハンドルセット冶具２０の第１ハンドル支持用突部２２を嵌合させて、ハンドル１１をテーブル１０３上に固定する。その時、ホイール部１４の一部の内周部分が当接部４２ａの欠切部４３に当接して支持された状態となっている。そして図７に示すように、ホイール部１４の外周部分と吸着ボックス４４との間に円環状皮革１２の一部を挿入して、円環状皮革１２のスポーク部用突部１３がハンドル１１のスポーク部１６位置に対応するように位置決めを行う。そして基台１０２の下部に設けられたフットスイッチ１１０を操作して吸着ボックス４４に円環状皮革１２の挿入された部分が吸着して保持される。さらに、起動スイッチ１０６を操作することで吸着ボックス４４がホイール部１４側に移動して、受台４２の当接部４２ａと吸着ボックス４４によって円環状皮革１２の一部をホイール部１４の外周部分の一部に吸着固定させる。
【００２２】
次に、図８に示すように、拡張移動冶具５０を手作業によってハンドル１１に対して水平となるようにハンドル１１の上部に下降させる。そして円環状皮革１２の吸着固定装置４０によって吸着固定されていない対向する部位を、拡張移動冶具５０の半円形形状部分に掛着させる。そして、起動スイッチ１０６を操作して、図９に示すように、拡張移動冶具５０に連結している皮革拡張シリンダー５２ａ、５２ｂのピストンロッド５４ａ、５４ｂが伸長されて、拡張移動冶具５０が円環状皮革１２を拡径する方向へと移動する。この拡張移動冶具５０の移動によって、円環状皮革１２はホイール部１４の外周部分まで均一に拡張されていく。そしてピストンロッド５４ａ、５４ｂの他端部に取り付けられているストッパ５６ａ、５６ｂが皮革拡張シリンダー５２ａ、５２ｂに当接して、拡張移動冶具５０の伸長が停止する。
【００２３】
次に図１０に示すように、拡張移動冶具５０の半円形形状部分に円環状皮革１２が拡張されて圧接した状態で、皮革ガイド冶具６０の握持部７６を作業者が握持して皮革ガイド冶具６０を拡張移動冶具５０に対して垂直方向に支持し、回転軸６５の回動に従って皮革ガイド冶具６０を拡張移動冶具５０の半円形形状部分の側端部まで移動させる。そして円環状皮革１２と拡張移動冶具５０との間に皮革ガイド冶具６０の挿入部７８を挿入し、拡張移動冶具５０の半円形形状に沿って皮革ガイド冶具６０を拡張移動冶具５０の半円形形状の他側端部まで移動させる。皮革ガイド冶具６０を拡張移動冶具５０の半円形形状に沿って移動させることで、半円形形状部分に密着している円環状皮革１２を拡張移動冶具５０の下部に位置するホイール部１４の外周部分へと誘導することができ、円環状皮革１２をホイール部１４の外周部分に沿って周着させることが可能となる。また、円環状皮革１２の一部はホイール部１４の一部と共に吸着固定装置４０によって固定された状態で円環状皮革１２を拡張することができるため、円環状皮革１２をハンドル１１に対して位置ずれさせることなくホイール部１４の外周部分に周着させることができる。そして皮革ガイド冶具６０が拡張移動冶具５０の半円形形状の側端部から他側端部まで移動したところで、皮革ガイド冶具６０の挿入部７８を拡張移動冶具５０と円環状皮革１２との間から抜き出して、皮革ガイド冶具６０をガイド台６２上に収納する。
【００２４】
そして、図１１に示すように、拡張移動冶具５０を拡張された円環状皮革１２の上部より引き上げて、起動スイッチ１０６を操作して拡張移動冶具５０及び吸着ボックス４４を元の位置へと戻し、ハンドル１１を第１ハンドル支持用突部２２から取り外す。
次に、起動スイッチ１０６を操作して、支持板３２の下部に備えられたシリンダー３４の３本のロッド３６を伸長させて、支持板３２を上方へと移動させる。そして図１２に示すように支持板３２の上部に位置する第２ハンドルセット冶具２８の第２ハンドル支持用突部３０に、上記取り外したハンドル１１を上下逆方向に反転させた状態で再び固定する。スポーク部１６は中心部分に向けてテーパー形状に傾斜しているため、第２ハンドルセット冶具２８がシリンダー３４のロッド３６の伸長により上方へと移動させた状態で、ハンドル１１を上下逆方向に反転させて固定する。そして、ハンドル１１の内周部分に設けられた位置合わせ線１９に円環状皮革１２の縁部１５ａ、１５ｂを合わせた後、ハンドル１１の複数のスポーク部１６に対応する円環状皮革１２のスポーク部用突部１３の位置合わせ確認を行う。そしてホイール部１４の内周部分で接合する円環状皮革１２の縁部１５ａ、１５ｂを接着剤を用いて貼り合わせた後、続いてスポーク部用突部１３部分も貼り合わせる。そして、貼り合わせた部分を縫製接合させた後、熱風により皮革の皺取り処理を行い革巻車両用ハンドルが完成する。
【００２５】
なお、本発明は上記の実施形態に限定されず、本発明の要旨を逸脱しない範囲内でその他種々の実施形態が考えられる。
ハンドル１１に被覆される円環状皮革１２としては、牛皮革等の天然皮革に限られず合成皮革等であってもよい。また、円環状皮革１２の外側表面にはシボ加工等の意匠性を高める加工が施されていてもよい。また、皮革を円環状に形成する際、複数枚のシートを縫製して皮革を円環状に形成してもよい。
また、吸着ボックス４４には吸引孔４５が設けられていなくてもよく、受台４２の当接部４２ａと吸着ボックス４４によって、円環状皮革１２の一部をホイール部１４の外周部分の一部に狭持して固定させてもよい。
【符号の説明】
【００２６】
１０  革巻車両用ハンドル皮革周着装置
１１  ハンドル
１２  円環状皮革
１４  ホイール部
１６  スポーク部
２０  第１ハンドルセット冶具
２２  第１ハンドル支持用突部
２８  第２ハンドルセット冶具
３０  第２ハンドル支持用突部
３２  支持板
４０  吸着固定装置
４２  受台
４２ａ      当接部
４２ｂ      支持部
４３  欠切部
４４  吸着ボックス
４５  吸引孔
５０  拡張移動冶具
５１  連結部
５２  皮革拡張シリンダー
５４  ピストンロッド
５８  シャフト
６０  皮革ガイド冶具
６１  支持部
６２  ガイド台
６５  回転軸
６６  プレート
６７  ヒンジピン
７６  握持部
７８  挿入部
１０２      基台
１０３      テーブル
１０６      起動スイッチ
１１０      フットスイッチ
【図１】
2010241255.tif 000003
【図２】
2010241255.tif 000004
【図３】
2010241255.tif 000005
【図４】
2010241255.tif 000006
【図５】
2010241255.tif 000007
【図６】
2010241255.tif 000008
【図７】
2010241255.tif 000009
【図８】
2010241255.tif 000010
【図９】
2010241255.tif 000011
【図１０】
2010241255.tif 000012
【図１１】
2010241255.tif 000013
【図１２】
2010241255.tif 000014